(57)【要約】【課題】引き金を引いた際に身体の局所部位に電気刺激を与えることにより生起する生体反応（筋収縮）を利用し、射線をずらせるような疑似反動を付与する。【解決手段】模擬銃（１）又は実弾を填装しない実銃１の操作者の身体に擬似的な射撃反動を付与又は現出するための射撃反動付与装置Ｘが、射撃操作におけるトリガ操作（２）を検知してトリガ検知信号を送出するトリガ検知手段３と、トリガ検知信号を入力源として起電力を発生する電気刺激発生手段４と、電気刺激発生手段４に接続され、操作者の身体の局所部位の皮膚に離隔配置した少なくとも１対の電極５を具備して、電気刺激発生手段４と身体６間に電気的な閉回路７を形成してなる。【選択図】        図１
2004239528.tif 000002
【特許請求の範囲】
【請求項１】
模擬銃又は実弾を填装しない実銃の操作者の身体に疑似的な射撃反動を付与又は現出するための射撃反動付与方法において、
射撃操作におけるトリガ操作を検知してトリガ検知信号を送出し、該トリガ検知信号を入力源として起電力を発生し、かつ、電極を介して操作者の身体の局所部位に電気刺激を与えることにより筋収縮を生起させ、射線をずらせるような疑似反動を付与することを特徴とする射撃反動付与方法。
【請求項２】
模擬銃又は実弾を填装しない実銃の操作者の身体に疑似的な射撃反動を付与又は現出するための射撃反動付与装置において、
射撃操作におけるトリガ操作を検知してトリガ検知信号を送出するトリガ検知手段と、
トリガ検知信号を入力源として起電力を発生する電気刺激発生手段と、
電気刺激発生手段に接続され、操作者の身体の局所部位の皮膚に離隔配置した少なくとも１対の電極を具備して、電気刺激発生手段と身体間に電気的な閉回路を形成してなり、
引き金を引いた際に電極を介して身体の局所部位に電気刺激を与えることにより筋収縮を生起させ、射線をずらせるような疑似反動を付与することを特徴とする射撃反動付与装置。
【請求項３】
模擬銃又は実弾を填装しない実銃が射撃訓練用の銃であり、射撃訓練装置系に包含され、その操作系を構成するものである請求項２記載の射撃反動付与装置。
【請求項４】
模擬銃が射撃ゲーム装置に附属する入力源として用いられるものである請求項２記載の射撃反動付与装置。
【発明の詳細な説明】
【０００１】
【発明の属する技術分野】
本発明は、模擬銃又は実弾を填装しない実銃の操作者の身体に擬似的な射撃反動を付与又は現出するための射撃反動付与方法及び射撃反動付与装置に係り、詳しくは、引き金を引いた際に身体の局所部位に電気刺激を与えることにより生起する生体反応（筋収縮）を利用し、射線をずらせるような疑似反動を付与する射撃反動付与方法及び射撃反動付与装置に関する。なお、射線は射軸と同義である。
【０００２】
【従来の技術】
従来より、模擬銃又は実弾を填装しない実銃を用いて射撃訓練をおこなう際に、銃を所持している腕や肩に擬似的な射撃反動を負荷し、実弾射撃を同様な訓練効果を得ようとするものがあった。（例えば、特許文献１、２を参照。）
【０００３】
【特許文献１】
特開２０００−８８４９３号公報（全図）
【特許文献２】
実開平７−２２２９２号公報（図３、図４及び図５）
【０００４】
また、射撃ゲーム用の模擬銃についても、射撃反動を模擬的に負荷して臨場感を増補しようとするものがあった。（例えば、特許文献３を参照。）
【０００５】
【特許文献３】
特開２００２−１６８５９６号公報（全図）
【０００６】
【発明が解決しようとする課題】
しかしながら、従来技術では、圧縮空気（ガス）を噴出して射撃反動をつくりだすというものであり、概して得られる反動（射線のぶれ）は弱く、大きな反動を得るためには大がかりな手段構成をとらざるを得ないという難点があった。
【０００７】
本発明はこのような事情に鑑みなされたものであって、上記課題を解消するために生体反応（筋電制御）を利用し、引き金を引いた際に身体の局所部位に電気刺激を与えることにより生起する生体反応（筋収縮）を利用し、射線をずらせるような疑似反動を付与する射撃反動付与方法及び射撃反動付与装置を提供するものである。
【０００８】
【課題を解決するための手段】
課題を解決するために本発明は、模擬銃又は実弾を填装しない実銃の操作者の身体に疑似的な射撃反動を付与又は現出するために生体反応を利用した射撃反動付与方法であって、
射撃操作におけるトリガ操作を検知してトリガ検知信号を送出し、該トリガ検知信号を入力源として起電力を発生し、かつ、電極を介して操作者の身体の局所部位に電気刺激を与えることにより筋収縮を生起させ、射線をずらせるような疑似反動を付与することを特徴とするものである。
【０００９】
また、上記方法を実施するための射撃反動付与装置であって、
射撃操作におけるトリガ操作を検知してトリガ検知信号を送出するトリガ検知手段と、トリガ検知信号を入力源として起電力を発生する電気刺激発生手段と、電気刺激発生手段に接続され、操作者の身体の局所部位の皮膚に離隔配置した少なくとも１対の電極を具備して、電気刺激発生手段と身体間に電気的な閉回路を形成してなり、引き金を引いた際に電極を介して身体の局所部位に電気刺激を与えることにより筋収縮を生起させ、射線をずらせるような疑似反動を付与することを特徴とするものである。
【００１０】
【発明の実施の形態】
本発明の実施の形態について添付図面を参照して以下説明する。
【００１１】
図１に構成概要説明図を示すように、射撃反動付与装置Ｘは、射撃操作におけるトリガ操作を検知してトリガ検知信号を送出するトリガ検知手段３と、トリガ検知信号を入力源として起電力を発生する電気刺激発生手段４と、電気刺激発生手段４に接続され、操作者の身体６、例えば銃１を構える腕や肩の局所部位の皮膚に少なくとも１対の電極５を離隔配置している。
【００１２】
通常は、皮膚６と電極５の密着性を確保するために、接触面に公知のゲル状導電体〔図示省略〕を介在させて電極５を貼り着ける。
【００１３】
そして、電気刺激発生手段４−（導線）−電極−身体６（導体）−電極５−（導線）−電気刺激発生手段４の経路は電気的な閉回路７を形成している。
【００１４】
トリガ検知手段３は、射撃操作におけるトリガ操作を検知してトリガ検知信号を送出する。電気刺激発生手段４への信号電送手段は、有線であっても無線であっても構わない。
【００１５】
トリガ検知手段３の具体的な構成例は、図２に示すように、実銃の銃身又はリボルバーにレーザ発光回路３１〔トリガ検知手段３〕を挿設してレーザ銃（身）を構成する。操作者が引き金を引く際に撃鉄が振り下ろされ、レーザ発光回路３１がオンする。レーザ銃（身）から発射されたレーザをレーザ受光部３２〔トリガ検知手段３〕に受け、この入力を電気信号に変換し、電気刺激発生手段４にトリガ検知信号を送出する。この場合、レーザ受光部３２は標的又は標的をマークしたスクリーンであってよい。
【００１６】
また、図３に示すように、実銃に無線発信回路３３〔トリガ検知手段３〕を組み込み、トリガ操作により無線発信をおこない、無線信号〔トリガ検知信号〕を電気刺激発生手段に送出するようにしてもよい。この間の通信は公知のリモートコントロール手段（赤外線通信）を応用できる。
【００１７】
模擬銃についても同様であって、図４に示すようにトリガ検出回路３４〔トリガ検知手段３〕を設ければよく、操作者が引き金を引くとトリガ検出回路３４のスイッチがオンされ、この検出信号〔トリガ検知信号〕を電気刺激発生手段４に送出することになる。
【００１８】
電気刺激発生手段４の具体的な構成例は、図５に示すように、マイクロコンピュータ４１（以下、マイコン。）と電源４４を含む昇圧回路４３とパルス波発生回路４２を有したものとし、トリガ検知信号を入力源としてマイコン４１に受信し、パルス波発生回路４４を介して電極５間にパルス波を発生させる。
【００１９】
身体６は導体であるから、電極５間の身体部位６に電気刺激を受けると局所的に筋収縮が生起し、銃身を跳ね上げる（射線をずらせる）ような握りの振れ（疑似反動）を生ずる（付与する）ように作用する。こうして、引き金２を引いた際に身体６に疑似反動を付与するものである。なお、操作者の身体への電気刺激部位は局所的な１箇所〔図示では前腕〕に限定されない。例えば、銃身が長いライフル銃等の射撃訓練においては、前腕と肩に射撃反動を付与することも考慮されてよい。
【００２０】
上記構成の装置Ｘは、射撃訓練用の銃に適用される場合、射撃訓練装置系に包含され、その操作系を構成するものである。
【００２１】
また、射撃ゲーム装置の模擬銃（入力源）に適用される場合には、模擬銃に上記構成の装置を附属させることができる。
【００２２】
【発明の効果】
本発明は以上の構成よりなるものであり、これによれば実弾射撃に近い訓練効果を得ることができる。しかも、銃と反動付与装置とは分離可能であり、使用する銃に反動付与手段（仕掛け）を設ける（組込む）必要がない。
【図面の簡単な説明】
【図１】本発明装置の構成概要説明図である。
【図２】実銃におけるトリガ検知手段の構成例を示す説明図である。
【図３】実銃におけるトリガ検知手段の他の構成例を示す説明図である。
【図４】模擬銃におけるトリガ検知手段の構成例を示す説明図である。
【図５】電気刺激発生手段の構成例を示す説明図である。
【符号の説明】
１  銃
２  引き金
３  トリガ検知手段
３１    レーザ発光回路
３２    レーザ受光部
３３    無線発信回路
３４    トリガ検出回路
４  電気刺激発生手段
４１  マイクロコンピュータ
４１１  入力ポート
４１２  出力ポート
４２  パルス発生回路
４３  昇圧回路
４４  電源
５  電極
６  身体
７  閉回路
Ｘ  射撃反動付与装置
【図１】
2004239528.tif 000003
【図２】
2004239528.tif 000004
【図３】
2004239528.tif 000005
【図４】
2004239528.tif 000006
【図５】
2004239528.tif 000007